(57)【要約】【課題】  モニター中に、被写体画像全体を認識し易く、かつ、撮像装置本体の傾き角度も直感的に把握し易いカメラを提供する。【解決手段】  本発明のカメラ１０は、被写体を撮影する撮影光学部と、この撮影光学部からの画像信号を画像処理するシステムコントローラ２０と、このシステムコントローラ２０により処理された画像信号に基づく被写体画像を画面に表示するモニター部１７と、本体ケースの傾き角度を検出するための傾斜センサ２５とを有し、システムコントローラ２０は本体ケースが設定された設定基準角度を含む許容角度範囲内に傾き角度があるときに傾斜センサ２５の検出出力に基づいてモニター部１７のモニター画面１７ａに被写体画像をカラーで表示させかつ本体ケースの傾き角度が許容角度範囲外にあるときに傾斜センサ２５の検出出力に基づいてモニター画面１７ａに被写体画像を単色で表示させる。【選択図】  図４
2010016673.tif 000002
【特許請求の範囲】
【請求項１】
被写体を撮影する撮影光学部と、該撮影光学部からの画像信号を画像処理する処理回路と、該処理回路により処理された画像信号に基づく被写体画像を画面に表示するモニター部と、撮像装置本体の傾き角度を検出するための水準器とを有し、前記処理回路は前記撮像装置本体が設定された設定基準角度を含む許容角度範囲内に前記傾き角度があるときに前記水準器の検出出力に基づいて前記モニター部のモニター画面に前記被写体画像をカラーで表示させかつ前記撮像装置本体の傾き角度が前記許容角度範囲外にあるときに前記水準器の検出出力に基づいて前記モニター画面に前記被写体画像を単色で表示させることを特徴とする撮像装置。
【請求項２】
前記処理回路は、カラー表示モードと単色表示モードとを実行する機能を有し、前記モニター画面に表示される被写体画像が単色表示モードに設定されているとき、前記処理回路は前記撮像装置本体の傾き角度が前記許容角度範囲内にあるときに前記水準器の検出出力に基づいて前記モニター画面に前記被写体画像を単色で表示させかつ前記撮像装置本体の傾き角度が前記許容角度範囲外にあるときに前記水準器の検出出力に基づいて前記モニター画面に前記被写体画像をカラーで表示させることを特徴とする請求項１に記載の撮像装置。
【請求項３】
前記撮像装置本体は、明るさ検出手段を有し、該明るさ検出手段に基づき検出された明るさが所定値以下のときには、前記モニター画面に、前記水準器の検出出力に基づき前記撮像装置本体の傾き角度又はインジケータが表示されることを特徴とする請求項１又は請求項２に記載の撮像装置。
【請求項４】
前記撮像装置本体の傾き角度が前記許容角度範囲外にあるときに、前記モニター画面の明るさが低く設定され、前記傾き角度が前記許容角度範囲内にあるときに、前記モニター画面の明るさが明るく設定されることを特徴とする請求項１又は請求項２に記載の撮像装置。
【請求項５】
前記設定基準角度が水平に対して０度であり、前記撮像装置本体の傾き角度が前記許容角度範囲内にあるときに、前記モニター画面に前記被写体画像が１６色以上のカラーで表示されることを特徴とする請求項１に記載の撮像装置。
【請求項６】
被写体を撮影する撮影光学部と、該撮影光学部からの画像信号を画像処理する処理回路と、該処理回路により処理された画像信号に基づく被写体画像を表示するモニター画面と、撮像装置本体の傾き角度を検出するための水準器とを有し、前記処理回路は、前記水準器の検出出力に基づいて、前記撮像装置本体が設定された設定基準角度を含む許容角度範囲内に前記傾き角度があるときとないときとで、前記モニター部のモニター画面に表示される前記被写体画像の色を変化させる処理を行うことを特徴とする撮像装置。
【発明の詳細な説明】
【技術分野】
【０００１】
本発明は、電子ビューファインダー付きのフィルムカメラ、デジタルカメラ、静止画撮影機能付きビデオカメラ、カメラ機能付き携帯電話等の撮像装置に関する。
【背景技術】
【０００２】
従来から、水平面に対して傾きのない被写体画像を取得するための各種の機能を備えたカメラ等の撮像装置が提案されている。
【０００３】
例えば、撮影の際にモニター画面に表示される被写体画像の一部にバー状指標としての図柄を重ねて表示すると共に、バー状の指標を水準器のように移動させて、使用者がカメラ本体の傾き角度を認識できるようにしたカメラが提案されている（例えば、特許文献１参照）。
【０００４】
また、水平状態を示すための指標としての基準線と、現在のカメラ本体の傾き角度を示すための撮影補助線とをモニター画面を横切るようにしてそのモニター画面に表示されている被写体画像に重ねて表示することにより、使用者がカメラ本体の水平に対する傾き角度を認識できるようにしたカメラも提案されている（例えば、特許文献２参照）。
【０００５】
さらに、指標として水平状態を示す格子状のグリッド表示線と、現在のカメラ本体の水平方向を示すための水平表示線とをモニター画面に表示されている被写体画像に互いに異なる色で重ねて表示するとともに、グリッド表示線に水平表示線が一致した際に、そのグリッド表示線を双方の設定色とは異なる色によって表示することによって、使用者がカメラ本体の傾き角度を認識できるようにしたカメラも提案されている（例えば、特許文献３参照）。
【特許文献１】特開２００４−３４３４７６号公報
【特許文献２】特許第３８９６５０５号公報
【特許文献３】特開２００６−１６５９４１号公報
【発明の開示】
【発明が解決しようとする課題】
【０００６】
しかしながら、この従来のカメラは、いずれも、モニター画面に表示されている被写体画像に水平状態を示すための指標又は「角度」を示す文字が表示されるので、被写体画像の一部がその指標又は文字によって隠蔽され、被写体画像全体を認識し難いという問題がある。
【０００７】
また、この従来のカメラは、その指標又は文字によって水平状態を認識する構成であるので、直感的にカメラ本体の水平状態を把握し難いという不都合もある。
【０００８】
すなわち、従来の撮像装置では、モニター中に、被写体画像全体を認識し難く、かつ、撮像装置本体の角度姿勢も直感的に認識し難いという問題がある。
【０００９】
本発明は、上記の事情に鑑みて為されたもので、モニター中に、被写体画像全体を認識し易く、かつ、撮像装置本体の傾き角度も直感的に把握し易い撮像装置を提供することにある。
【課題を解決するための手段】
【００１０】
請求項１に記載の撮像装置は、被写体を撮影する撮影光学部と、該撮影光学部からの画像信号を画像処理する処理回路と、該処理回路により処理された画像信号に基づく被写体画像を画面に表示するモニター部と、撮像装置本体の傾き角度を検出するための水準器とを有し、前記処理回路は前記撮像装置本体が設定された設定基準角度を含む許容角度範囲内に前記傾き角度があるときに前記水準器の検出出力に基づいて前記モニター部のモニター画面に前記被写体画像をカラーで表示させかつ前記撮像装置本体の傾き角度が前記許容角度範囲外にあるときに前記水準器の検出出力に基づいて前記モニター画面に前記被写体画像を単色で表示させることを特徴とする。
【００１１】
請求項２に記載の撮像装置は、前記処理回路は、カラー表示モードと単色表示モードとを実行する機能を有し、前記モニター画面に表示される被写体画像が単色表示モードに設定されているとき、前記処理回路は前記撮像装置本体の傾き角度が前記許容角度範囲内にあるときに前記水準器の検出出力に基づいて前記モニター画面に前記被写体画像を単色で表示させかつ前記撮像装置本体の傾き角度が前記許容角度範囲外にあるときに前記水準器の検出出力に基づいて前記モニター画面に前記被写体画像をカラーで表示させることを特徴とする。
【００１２】
請求項３に記載の撮像装置は、前記撮像装置本体は、明るさ検出手段を有し、該明るさ検出手段に基づき検出された明るさが所定値以下のときには、前記モニター画面に、前記水準器の検出出力に基づき前記撮像装置本体の傾き角度又はインジケータが表示されることを特徴とする。
【００１３】
請求項４に記載の撮像装置は、前記撮像装置本体の傾き角度が前記許容角度範囲外にあるときに、前記モニター画面の明るさが低く設定され、前記傾き角度が前記許容角度範囲内にあるときに、前記モニター画面の明るさが明るく設定されることを特徴とする。
【００１４】
請求項５に記載の撮像装置は、前記設定基準角度が水平に対して０度であり、前記撮像装置本体の傾き角度が前記許容角度範囲内にあるときに、前記モニター画面に前記被写体画像が１６色以上のカラーで表示されることを特徴とする。
【００１５】
請求項６に記載の撮像装置は、被写体を撮影する撮影光学部と、該撮影光学部からの画像信号を画像処理する処理回路と、該処理回路により処理された画像信号に基づく被写体画像を表示するモニター画面と、撮像装置本体の傾き角度を検出するための水準器とを有し、前記処理回路は、前記水準器の検出出力に基づいて、前記撮像装置本体が設定された設定基準角度を含む許容角度範囲内に前記傾き角度があるときとないときとで、前記モニター部のモニター画面に表示される前記被写体画像の色を変化させる処理を行うことを特徴とする。
【発明の効果】
【００１６】
請求項１ないし請求項６に記載の撮像装置によれば、撮像装置本体の傾き角度が許容角度範囲内にあるときとないときとで、モニター部のモニター画面に表示される被写体画像の色を変化させることにしたので、撮像装置本体の傾き角度を示すインジケータ等をを被写体画像に重ねて表示する必要がなくなり、その結果、被写体画像全体を認識し易く、かつ、撮像装置本体の傾き角度も直感的に把握し易いという効果を奏する。
【００１７】
とくに、請求項２に記載の撮像装置によれば、単色モード設定の際でも、モニター中に、被写体画像全体を認識し易くさせることができ、かつ、撮像装置本体の傾き角度も直感的に把握し易くさせることができるという効果を奏する。
【００１８】
更に、請求項３に記載の撮像装置によれば、明度情報が少ない暗い画像の撮影を行った場合でも、撮像装置本体の傾き角度を確実に認識させることができるという効果を奏する。
【００１９】
また、請求項４に記載の撮像装置によれば、設定された傾き角度を含む許容角度範囲外のときにはモニター画面の輝度が低く設定され、撮像装置本体の傾き角度が設定された許容角度を含む許容角度範囲内になると、モニター画面の輝度が相対的に高く設定されるため、バッテリーの省電力化を図ることができるという効果を奏する。
【発明を実施するための最良の形態】
【００２０】
以下に、本発明の実施の形態を図面を参照しつつ説明する。
【実施例】
【００２１】
図１〜図３は、本発明に係わる撮像装置としてのカメラ１０の一実施形態を模式的に示す外観図であり、図１は正面図、図２は上面図、図３は背面図である。以下の説明では、カメラ１０の撮影光軸方向をＺ方向とし、カメラ１０を正面視（図１参照）した縦方向をＹ方向とし、Ｙ―Ｚ平面に直交する横方向をＸ方向とする。
【００２２】
カメラ１０は、図１〜図３に示すように、全体に直方体形状を呈する本体ケース（撮像装置本体）１１を有する。その本体ケース１１の正面１１ａには、図１に示すように、ストロボ発光部１２、撮影レンズを含む鏡胴ユニット１４が設けられている。また、本体ケース１１の上面１１ｃに、図２に示すように、レリーズスイッチ（シャッタレリーズ釦）１５、モードダイヤルスイッチ１６等が配設されている。
【００２３】
本体ケース１１の背面１１ｂに、図３に示すように、モニター部１７、方向指示用スイッチ１８等が設けられている。モニター部１７は、横長の矩形状のモニター画面１７ａを有し、このモニター画面１７aには後述する被写体画像Ｐやメニュー画面ＭＥＧ等が表示される。
【００２４】
レリーズスイッチ（シャッタレリーズ釦）１５、モードダイヤルスイッチ１６、方向指示用スイッチ１８等は、使用者が操作する操作キー１９を構成する。
【００２５】
カメラ１０は、方向指示用スイッチ１８を操作することにより、各種機能が選択され、レリーズスイッチ１５を押圧操作することにより被写体を撮影することができる。また、モニター部１７のモニター画面１７aに画像を表示させつつ被写体を撮影することができる。
【００２６】
カメラ１０の各部材の機能および作用は、公知であるので、その説明は省略することにし、次にカメラ内部のシステム構成を図４に基づいて説明する。
【００２７】
鏡胴ユニット１４は、対物レンズ１４１、ズームレンズ１４２、シャッター兼用絞り１４３、フォーカスレンズ１４４、ローパスフィルタ（ＬＰＦ）１４５、撮像素子１４６等から構成されている。ズームレンズ１４２は、モータを備えたズーム駆動系１４２ａにより、シャッター兼用絞り１４３は、モータを備えたシャッター兼用絞り駆動系１４３ａにより、フォーカスレンズ１４４は、モータを備えたフォーカス駆動系１４４ａによってそれぞれ駆動される。その駆動制御はシステムコントローラ２０によって行われる。
【００２８】
対物レンズ１４１、ズームレンズ１４２、シャッター兼絞り１４３、フォーカスレンズ１４４、ローパスフィルタ（ＬＰＦ）１４５、撮像素子１４６は被写体を撮影する撮影光学部としての機能を有し、撮像素子１４６は被写体からの像形成光束を受光してアナログ画像信号に変換し、アナログ画像信号を後段のＡ／Ｄ変換部２１に向かって出力する。
【００２９】
Ａ／Ｄ変換部２１は撮像素子１４６から入力されたアナログ画像信号をデジタル画像信号に変換し、そのデジタル画像信号は、撮影光学部からの画像信号を画像処理する処理回路の一部を構成する画像処理部２２に入力される。
【００３０】
画像処理部２２は画像の圧縮その他の処理を行って画像データを生成し、システムコントローラ２０の統括制御に基づき画像処理部２２により処理された画像データは、メモリカード、フラッシュメモリ、ＲＡＭ等から構成されるメモリ群２３に格納される。
【００３１】
システムコントローラ２０は、これらの制御の他、モニター部１７、ストロボ発光部１２、ストロボ制御部１２ａを駆動制御する。システムコントローラ２０には操作キー１９によって各種指令が入力される。
【００３２】
カメラ１０は、撮像装置本体の傾き角度を検出するための水準器として用いられる傾斜センサ２５を有している。ここでは、傾斜センサ２５には、加速度を計測する加速度センサが用いられている。この加速度センサを用いることにより重力方向に対する本体ケース１１の傾きを計測できる。
【００３３】
システムコントローラ２０は、傾斜センサ２５からの出力信号に基づいて本体ケース１１の傾き角度を判断する。すなわち、システムコントローラ２０は、鏡胴ユニット１４の光軸方向（Ｚ方向）周り（以下、ロール方向ともいう）の重力方向に対する本体ケース１１の傾き角度を検知する。
【００３４】
被写体画像Ｐは、システムコントローラ２０の制御のもとで、図５に示すように、本体ケース１１の傾き角度に応じてモニター部１７のモニター画面１７aに対して傾いて表示されるものである。
【００３５】
この実施例では、システムコントローラ２０のカメラ本体の傾き制御は、操作キー１９の指令に基づくモニター画面１７aに表示された画面の表示項目をチェックすることにより又は表示項目に数値を入力することにより行われる。
【００３６】
カメラ１０の電源をオンすると、モニター画面１７aには、図６に示すように、初期画面ＦＧが表示される。この初期画面ＦＧには、メニュー画面設定その他の各種の項目が表示される。この初期画面ＦＧにおいて、操作キー１９によりメニュー画面設定の項目を選択すると、モニター画面１７aは、図７に示すメニュー画面ＭＥＧに移行する。
【００３７】
このメニュー画面ＭＥＧには、傾斜センサ２５をオンするか、オフするかを設定する項目、撮影モードが設定されていると仮定して、１６色以上のカラー撮影モードでカラー撮影を行うのか、単色撮影（白黒撮影又はセピア撮影）を行うのかを設定する項目、底面１１ｄが水平線に対して平行な横撮り撮影を初期設定基準角度とするのか、底面１１ｄが水平に対して垂直な縦撮り撮影を初期設定基準角度とするのかを設定する初期設定基準角度項目、初期設定基準角度に対する本体ケース１１の傾き角度を設定基準角度として設定する傾き角度設定項目、傾き角度設定項目により設定された本体ケース１１の設定基準角度に対する本体ケース１１の傾きの許容角度範囲を設定する許容角度範囲設定項目が表示される。
【００３８】
このカメラ１０では、電源がオンすると、カラー撮影モードでカラー撮影を行うことができるように初期値が定められている。また、このカメラ１０では、電源がオンすると、横撮り撮影を初期設定基準角度とするように初期値が定められている。また、このカメラ１０では、初期設定基準角度に対する本体ケース１１の傾きの許容角度範囲が設定基準角度を中心にしてプラス・マイナス５度の範囲となるように初期値が定められている。
【００３９】
この実施例では、システムコントローラ２０は、傾斜センサ２５の検出出力に基づいて、設定基準角度に対する許容角度範囲内に本体ケース１１の傾き角度があるときと許容角度範囲外に本体ケース１１の傾き角度があるときとで、モニター画面１７ａに表示される被写体画像Ｐの色を異ならせる処理を実行する機能を有する。
【００４０】
すなわち、このシステムコントローラ２０は、原則として、傾斜センサ２５の検出出力に基づいて、設定基準角度に対する許容角度範囲内に本体ケース１１の傾き角度があるときには、モニター画面１７ａに被写体画像Ｐをカラー表示させ、かつ、設定基準角度に対する許容角度範囲外に本体ケース１１の傾き角度があるときには、モニター画面１７ａに被写体画像Ｐを単色表示させる処理を実行する機能を有する。
【００４１】
また、このシステムコントローラ２０は、所定の条件のもとで、傾斜センサ２５の検出出力に基づいて、設定基準角度に対する許容角度範囲内に本体ケース１１の傾き角度があるときには、モニター画面１７ａに被写体画像Ｐを単色で表示させ、かつ、設定基準角度に対する許容角度範囲外に本体ケース１１の傾き角度があるときには、モニター画面１７ａに被写体画像Ｐをカラーで表示させる処理を実行する機能も有する。
【００４２】
ここでは、単色表示には白黒色又はセピア色が用いられる。色の表示処理には、以下の演算処理が用いられる。
【００４３】
例えば、システムコントローラ２０は、メモリ群２３に保存された（R、G、B）の各画像データをYUVデータへの変換時に以下の演算を実行する。
【００４４】
システムコントローラ２０は、カラー演算処理では、
「Y（U,V）＝aR＋ｂG＋ｃB＋ｄ
ただし、a、ｂ、ｃは各データに乗すべき係数、ｄは定数である。」処理を実行する。
【００４５】
システムコントローラ２０は、白黒演算処理では、
「Y=aR＋ｂG＋ｃB＋ｄ
U（又はV）＝ｘR＋ｙG＋ｚB＋ｔ
ただし、ｘ、ｙ、ｚは各データに乗すべき係数、ｔは定数であり、各係数ｘ、ｙ、ｚ、定数ｔは「０」とする。ここで、各係数ｘ、ｙ、ｚ、定数ｔを「０」としたのは、色に関係する成分を除去することを意味している。」処理を実行する。
【００４６】
システムコントローラ２０は、セピア演算処理では、
「Y＝aR＋ｂG＋ｃB＋ｄ
U（又はV）＝ｘR＋ｙG＋ｚB＋ｔ
ただし、各係数ｘ、ｙ、ｚは「０」、定数ｔは「０」以外の特性値（オフセット値）である。定数ｔを所定の値に設定することにより、セピア色が表現される。」処理を実行する。
【００４７】
また、システムコントローラ２０は、カラー演算の際に得られる輝度データに基づいて、被写体画像Ｐの明るさを検出する明るさ検出手段としての機能も有する。
【００４８】
このシステムコントローラ２０は、被写体画像Ｐの明るさが第１閾値以上の場合には、設定基準角度に対する許容角度範囲外に本体ケース１１の傾き角度があるときに、モニター画面１７ａの表示輝度を低く設定し、設定基準角度に対する許容角度範囲内に本体ケース１１の傾き角度があるときに、モニター画面１７ａの表示輝度を高く設定する機能を有する。
【００４９】
また、システムコントローラ２０は、被写体画像Ｐの明るさが第２閾値未満の場合には、設定基準角度に対する許容角度範囲外に本体ケース１１の傾き角度があるときに、モニター画面１７ａに後述するインジケータＩ（図１０参照）又は角度を意味する符号を表示する機能を有する。なお、第１閾値は第２閾値よりも大きな値である。
【００５０】
以下、システムコントローラ２０の処理の詳細を図８に示すフローチャートに従って説明する。
【００５１】
システムコントローラ２０は、撮影モードが設定されている場合、傾斜センサ２５がオンされているか、オフされているかを判断する（Ｓ．１）。システムコントローラ２０は、傾斜センサ２５がオフのときには、Ｓ．２に移行する。システムコントローラ２０は、Ｓ．２においては、後述する傾き検出に関する処理を行わない。従って、モニター画面１７ａには、被写体画像Ｐが表示されるのみで、本体ケース１１の傾きに関する情報は何も提示されない。
【００５２】
ここでは、傾斜センサ２５がオンしているものとして説明する。システムコントローラ２０は、傾斜センサ２５がオンしているときには、Ｓ．３に移行して、横撮り撮影を初期設定基準角度とするのか否かを判断する。
【００５３】
システムコントローラ２０は、横撮り撮影を初期設定基準角度と判断した場合、傾斜センサ２５が水平に対して角度「０度」に対応する信号を出力したときに、後述するインジケータＩを構成する指標バーが底面１１ｄの延びる方向に間隔を開けて一直線となるように配列する処理を実行可能にする（Ｓ．４）。
【００５４】
ついで、システムコントローラ２０は、縦撮り撮影を初期設定基準角度と判断したときには、傾斜センサ２５が水平に対して角度「９０度」に対応する信号を出力したときに、後述するインジケータＩを構成する指標バーが側面１１ｅの延びる方向に間隔を開けて一直線となるように配列する処理を実行可能にする（Ｓ．５）。なお、いずれの場合にも、後述するインジケータＩは、モニター画面１７ａの下側となる部分に表示される。
【００５５】
ついで、システムコントローラ２０は、Ｓ．６へ移行し、設定基準角度に対する本体ケース１１の傾き角度が許容角度範囲内にあるか否かを判断する。ここでいう、設定基準角度とは、ユーザーにより、初期設定基準角度に対する本体ケース１１の傾き角度が設定基準角度として設定されている場合には、当該ユーザーにより設定された本体ケース１１の傾き角度を含む。
【００５６】
システムコントローラ２０は、本体ケース１１の傾き角度が許容角度範囲外のときには、被写体画像Ｐの明るさが第１閾値以上であるか否かを判断する（Ｓ．７）。被写体画像Ｐの明るさが第１閾値以上の場合には、モニター画面１７ａの表示輝度を低く設定する処理（Ｓ．８）を行った後、Ｓ．１１へ移行する。
【００５７】
システムコントローラ２０は、Ｓ．７において、被写体画像Ｐの明るさが第１閾値未満のときには、Ｓ．９へ移行する。システムコントローラ２０は、Ｓ．９において、被写体画像Ｐの明るさが第２閾値以下であるか否かを判断する。システムコントローラ２０は、被写体画像Ｐの明るさが第２閾値以下のときには、後述するインジケータＩ表示処理（Ｓ．１０）を実行した後、Ｓ．１１へ移行する。システムコントローラ２０は、Ｓ．９において、被写体画像Ｐの明るさが第２閾値を超えているときには、そのままＳ．１１へ移行する。
【００５８】
システムコントローラ２０は、Ｓ．１１においては、１６色以上のカラーで撮影するモードが選択されているか単色で撮影する単色撮影モードが選択されているかを判断する。システムコントローラ２０は、カラー撮影モードが選択されているときには、被写体画像Ｐを単色でモニター画面１７ａに表示する演算を実行する（Ｓ．１２）。この処理により、モニター画面１７ａには、被写体画像Ｐが白黒画像又はセピア画像として表示される（Ｓ．１３）。なお、被写体画像Ｐが白黒画像又はセピア画像が表示されるかは、ユーザーの設定による。
【００５９】
システムコントローラ２０は、単色撮影モードが選択されているときには、被写体画像Ｐが１６以上のカラー色でモニター画面１７ａに表示する演算を実行する（Ｓ．１４）。この処理により、モニター画面１７ａには、被写体画像Ｐが１６色以上のカラー画像として表示される（Ｓ．１３）。
【００６０】
システムコントローラ２０は、Ｓ．６において、設定基準角度に対する本体ケース１１の傾き角度が許容角度範囲内にあるときには、被写体画像Ｐの明るさが第２閾値以下であるか否かを判断する（Ｓ．１５）。システムコントローラ２０は、Ｓ．１５において、被写体画像Ｐの明るさが第２閾値以下のときには、後述するインジケータＩ表示処理（Ｓ．１６）を実行した後、Ｓ．１７へ移行する。システムコントローラ２０は、Ｓ．１５において、被写体画像Ｐの明るさが第２閾値を超えているときには、そのままＳ．１７へ移行する。
【００６１】
システムコントローラ２０は、Ｓ．１７において、カラー撮影モードが選択されているか単色撮影モードが選択されているかを判断する。システムコントローラ２０は、カラー撮影モードが選択されているときには、被写体画像Ｐを１６色以上のカラー画像としてモニター画面１７ａに表示する演算を実行する（Ｓ．１８）。この処理により、モニター画面１７ａには、被写体画像Ｐが１６色以上のカラー画像として表示される（Ｓ．１３）。
【００６２】
システムコントローラ２０は、Ｓ．１７において、単色撮影モードが選択されているときには、被写体画像Ｐの表示が白黒画像表示か、セピア画像表示か否かを判断する（Ｓ．１９）。システムコントローラ２０は、Ｓ．１９において、被写体画像Ｐを白黒画像として表示する設定がされていると判断したきには、被写体画像Ｐを白黒画像としてモニター画面１７ａに表示する演算を実行する（Ｓ．２０）。システムコントローラ２０は、Ｓ．１９において、被写体画像Ｐを白黒画像として表示する設定がされていると判断したきには、被写体画像Ｐをセピア画像としてモニター画面１７ａに表示する演算を実行する（Ｓ．２１）。この処理により、モニター画面１７ａには、被写体画像Ｐが白黒画像又はセピア画像として表示される（Ｓ．１３）。
【００６３】
従って、この実施例では、以下の作用効果を果たす。
ａ：カラー撮影モードが設定されているとき
横撮り・縦撮り撮影の有無に拘わらず、被写体画像Ｐの明るさが第１閾値以上のときで、かつ、ケース本体１１の傾き角度が許容角度範囲外のとき、、図５に示すモニター画面１７ａの明るさが低く設定され、しかも、被写体画像Ｐが白黒画像又はセピア画像としてモニタ画面１７ａに表示される。また、ケース本体１１の傾き角度が許容角度範囲内のとき、モニター画面１７ａの明るさが元の明るさのままで、かつ、被写体画像Ｐが１６色以上のカラー画像としてモニタ画面１７ａに図９に示すように表示される。この図９に示す状態で、撮影を実行すれば、被写体画像Ｐが１６色以上のカラー撮影画像としてメモリ群２３に記録保存される。
【００６４】
このように、モニター画面１７aの被写体画像PにインジケータIが重ねて表示されることなく、被写体画像Ｐの色の変化により、ケース本体１１の傾き角度が許容角度範囲内になったか否かを判断できるので、モニター中に、被写体画像Ｐの全体を認識し易く、かつ、ケース本体１１の傾きも直感的に把握し易いという効果を奏する。
ｂ：単色撮影モードが設定されているとき
横撮り・縦撮り撮影の有無に拘わらず、被写体画像Ｐの明るさが第１閾値以上のときで、かつ、ケース本体１１の傾き角度が許容角度範囲外のとき、モニター画面１７ａの明るさが低く設定され、しかも、被写体画像Ｐが１６色以上のカラー画像としてモニタ画面１７ａに表示される。また、ケース本体１１の傾き角度が許容角度範囲内のとき、モニター画面１７ａの明るさが元の明るさのままで、かつ、被写体画像Ｐが白黒画像又はセピア画像としてモニタ画面１７ａに表示される。この状態で、撮影を実行すれば、被写体画像Ｐが白黒撮影画像又はセピア撮影画像としてメモリ群２３に記録保存される。
【００６５】
この場合にも、モニター画面１７aの被写体画像PにインジケータIが重ねて表示されることなく、被写体画像Ｐの色の変化により、本体ケース１１の傾き角度が許容角度範囲内になったか否かが判断できるので、モニター中に、被写体画像Ｐの全体を認識し易く、かつ、本体ケース１１の傾きも直感的に把握し易いという効果を奏する。
【００６６】
システムコントローラ２０は、Ｓ．１０、Ｓ．１６のインジケータ処理では、以下の処理を実行する。
【００６７】
図１０はモニター画面１７aの被写体画像Pに重ねて表示されたインデジケータIを示している。このインジケータIは、複数個の同一の指標バーとしてのバー状表示枠３０が水平方向に間隔を開けて構成された配列体からなる。
【００６８】
各バー状表示枠３０は縦方向に長くかつ横方向に短いいわゆる短冊状とされている。この各バー表示枠３０は長方形を形成するための輪郭線３０aにより囲まれた矩形領域により構成される。その矩形領域は灰色とされている。
【００６９】
各バー状表示枠３０は、設定基準角度に対するケース本体１１の傾き角度を表示するために用いられる。ここでは、ケース本体１１の設定基準角度が横撮り基準で、かつ、水平であるとして説明する。
【００７０】
この図１０において、符号３１は中央指標バーを示し、この中央指標バー３１には、この中央指標バー３１を上下方向からあたかも囲うようにして、中央であることを指し示す指示枠３３が設けられている。
【００７１】
この中央指標バー３１は、ここでは、ケース本体１１の傾きが０度（水平）を中心にして、許容角度範囲内のときに、例えば、輪郭線３０aで囲まれた矩形領域が緑色で表示される。また、ケース本体１１の傾きが許容角度範囲内にあるときには、配列体全体の矩形領域を包囲する輪郭線３４が緑色で表示され、これにより、ケース本体１１の傾きが許容角度範囲内であることが強調される。
【００７２】
この中央指標バー３１のいずれかの左右の各指標バー３０の輪郭線３０aで囲まれた矩形領域は、ケース本体１１の傾き角度が許容角度範囲外のときに、そのケース本体１１の傾き角度に対応して、オレンジ色で表示される。例えば、ケース本体１１が所定角度左に傾いている場合、図１１に示すように右の指標バー３１’がオレンジ色で表示される。
【００７３】
このインジケータＩ表示処理によれば、被写体画像Ｐの明るさ（輝度）が第２閾値以下のときには、モニター画面１７ａに被写体画像Ｐと共に、インジケータＩが表示されるので、明度情報が少ない暗い画像の撮影を行った場合でも、本体ケース１１の傾きを確実に認識させることができる。
【００７４】
なお、システムコントローラ２０は、図８に示すＳ．３において、縦撮り撮影が設定されているときには、被写体画像Ｐの明るさが第２閾値以上のときで、かつ、ケース本体１１の傾き角度が許容角度範囲内にある場合、図１２に示すように、モニター画面１７ａにインジケータＩが表示されることなく被写体画像Ｐが表示される。
【図面の簡単な説明】
【００７５】
【図１】本発明のカメラの一実施形態を模式的に示す正面図である。
【図２】本発明のカメラの一実施形態を模式的に示す上面図である。
【図３】本発明のカメラの一実施形態を模式的に示す背面図である。
【図４】本発明のカメラのシステムを示す全体構成図である。
【図５】図１に示すカメラの傾きを説明する図である。
【図６】図３に示すモニター画面に表示された初期画面の説明図である。
【図７】図３に示すモニター画面に表示されたメニュー画面の説明図である。
【図８】本発明に係わるカメラの作用を説明するためのフローチャート図である。
【図９】本発明に係わるカメラの傾きが許容角度範囲内にあるときにモニター画面に表示される被写体画像の説明図である。
【図１０】本発明に係わるカメラの傾きが許容角度範囲内にあるときにモニター画面に表示される被写体画像の説明図であって、被写体画像の輝度が低い状態の時にモニター画面に表示されるインジケータの説明図である。
【図１１】本発明に係わるカメラの傾きが許容角度範囲内にあるときにモニター画面に  表示される被写体画像の説明図であって、被写体画像の輝度が低い状態の時にモニター画  面に表示されるインジケータの説明図である。
【図１２】本発明に係わるカメラを用いて縦撮りを行う場合の説明図である。
【符号の説明】
【００７６】
１０…カメラ
１７…モニター部
１７ａ…モニター画面
２０…システムコントローラ
２５…傾斜センサ
【図１】
2010016673.tif 000003
【図２】
2010016673.tif 000004
【図３】
2010016673.tif 000005
【図４】
2010016673.tif 000006
【図５】
2010016673.tif 000007
【図６】
2010016673.tif 000008
【図７】
2010016673.tif 000009
【図８】
2010016673.tif 000010
【図９】
2010016673.tif 000011
【図１０】
2010016673.tif 000012
【図１１】
2010016673.tif 000013
【図１２】
2010016673.tif 000014